(57)【特許請求の範囲】
【請求項１】
廃棄物を収容するピットの底部の上に配置され、水平方向に伸びる排水用の管を被覆材で覆う方法であって、
水平方向に間隔を置かれた、相対する２つの端部と、該端部の間に間隔を置かれた、相対する２つの側部とを有する周壁部と、該周壁部の各端部に形成され、下方に開放された切欠き部とを有する枠体を、前記切欠き部が前記管を受け入れるように前記ピットの前記底部の上に配置すること、
前記枠体の中を前記被覆材で満たすこと、
前記枠体を前記ピットの前記底部の上から前記被覆材の上方まで上昇させることを含む、管を被覆材で覆う方法。
【請求項２】
前記枠体の各側部は、水平方向に対して垂直な断面で見て前記枠体の断面形状がハ字状をなすように水平面に対して傾斜している、請求項１に記載の管を被覆材で覆う方法。
【請求項３】
廃棄物を収容するピットの底部の上に配置され、水平方向に伸びる排水用の管を被覆材で覆うために用いる枠体であって、
水平方向に間隔を置かれた、相対する２つの端部と、該端部の間に間隔を置かれた、相対する２つの側部とを有する周壁部と、該周壁部の各端部に形成され、下方に開放された切欠き部とを有する、枠体。
【発明の詳細な説明】
【技術分野】
【０００１】
本発明は、廃棄物を収容するピットの底部の上に配置された排水用の管を被覆材で覆う方法に関する。
【背景技術】
【０００２】
廃棄物の最終処分場には、地盤に設けられ、前記廃棄物を収容するピットと、該ピットの底部の上に配置された排水用の管と、前記ピットの前記底部の上に配置され、前記管を覆う被覆材とを備えるものがある（特許文献１参照）。前記管は、水平方向に伸びており、いわゆる有孔管である。前記管は、周壁と、該周壁に間隔を置いて設けられた複数の貫通穴とを有する。前記被覆材は砕石からなる。
【０００３】
前記廃棄物を処分するため、該廃棄物は前記ピットに入れられる。前記廃棄物が風により飛散するのを防止するために前記廃棄物に散水すること又は降雨により、前記廃棄物が水を含むことがある。前記水は、前記廃棄物から前記被覆材と前記管の各貫通穴とを経て前記管の中へ入り、該管の中を経て前記ピットから排出される。
【０００４】
前記被覆材は、前記廃棄物に含まれているゴミの粒子が前記水とともに前記廃棄物から前記管の前記貫通穴に入ることを阻止する。これにより、前記粒子が前記貫通穴の目詰まりを生じさせることを防ぐ。
【先行技術文献】
【特許文献】
【０００５】
【特許文献１】特開２０１０−６４０００
【発明の概要】
【発明が解決しようとする課題】
【０００６】
前記最終処分場の施工時、まず、前記地盤に前記ピットを設け、次に、前記ピットの底部の上に前記管を配置し、その後、前記管を前記被覆材で覆う。前記管を前記被覆材で覆うとき、前記被覆材を、該被覆材が前記管を覆うように前記ピットの前記底部の上に配置し、人手や重機により前記被覆材の形状を整える。しかし、人手や重機による前記被覆材の整形は多くの手間と時間とを要する。
【０００７】
本発明の目的は、人手や重機によることなく被覆材を整形できるようにすることにより、前記被覆材の整形に要する手間と時間とを減らし、前記被覆材の整形を効率的に行えるようにすることである。
【課題を解決するための手段】
【０００８】
本発明は、廃棄物を収容するピットの底部の上に配置された排水用の管を被覆材で覆うとき、水平方向に間隔を置かれた２つの領域を有する周壁部と、該周壁部の各領域に形成され、下方に開放された切欠き部とを有する枠体を、前記切欠き部が前記管を受け入れるように前記ピットの前記底部の上に配置した後、前記枠体の中を前記被覆材で満たす。これにより、前記枠体により前記被覆材の形状が整えられるようにし、人手や重機によることなく前記被覆材を整形できるようにする。これにより、前記被覆材の整形に要する手間と時間とを減らし、前記被覆材の整形を効率的に行えるようにする。
【０００９】
本発明に係る、廃棄物を収容するピットの底部の上に配置され、水平方向に伸びる排水用の管を被覆材で覆う方法は、水平方向に間隔を置かれた２つの領域を有する周壁部と、該周壁部の各領域に形成され、下方に開放された切欠き部とを有する枠体を、前記切欠き部が前記管を受け入れるように前記ピットの前記底部の上に配置すること、前記枠体の中を前記被覆材で満たすこと、前記枠体を前記ピットの前記底部の上から前記被覆材の上方まで上昇させることを含む。
【００１０】
前記枠体を、前記切欠き部が前記管を受け入れるように前記ピットの前記底部の上に配置した後、前記枠体の中を前記被覆材で満たすため、前記枠体により前記被覆材の形状が整えられる。このため、人手や重機によることなく前記被覆材を整形することができ、前記被覆材の整形に要する手間と時間とを減らすことができ、前記被覆材の整形を効率的に行うことができる。
【００１１】
前記枠体は、水平方向に間隔を置かれた、相対する２つの端部と、該端部の間に間隔を置かれた、相対する２つの側部とを有し、前記切欠き部は各端部に形成されている。前記枠体の各側部は、水平方向に対して垂直な断面で見て前記枠体の断面形状がハ字状をなすように水平面に対して傾斜している。
【００１２】
本発明に係る、廃棄物を収容するピットの底部の上に配置され、水平方向に伸びる排水用の管を被覆材で覆うために用いる枠体は、水平方向に間隔を置かれた２つの領域を有する周壁部と、該周壁部の各領域に形成され、下方に開放された切欠き部とを有する。
【発明の効果】
【００１３】
本発明によれば、廃棄物を収容するピットの底部の上に配置された排水用の管を被覆材で覆うとき、水平方向に間隔を置かれた２つの領域を有する周壁部と、該周壁部の各領域に形成され、下方に開放された切欠き部とを有する枠体を、前記切欠き部が前記管を受け入れるように前記ピットの前記底部の上に配置した後、前記枠体の中を前記被覆材で満たすため、前記枠体により前記被覆材の形状が整えられる。このため、人手や重機によることなく前記被覆材を整形することができ、前記被覆材の整形に要する手間と時間とを減らすことができ、前記被覆材の整形を効率的に行うことができる。
【図面の簡単な説明】
【００１４】
【図１】廃棄物の最終処分場の縦断面図。
【図２】ピットの底部の上に管を配置したことを示す図。
【図３】図２の線３における管の断面図。
【図４】本発明に係る枠体の斜視図。
【図５】図４の線５における枠体の断面図。
【図６】枠体をピットの底部の上に配置したことを示す図。
【図７】図６の線７における枠体の側面図。
【図８】枠体の中を被覆材で満たしていることを示す図。
【図９】枠体を上昇させていることを示す図。
【図１０】枠体を上昇させたことを示す図。
【図１１】ピットに廃棄物を入れたことを示す図。
【図１２】複数の枠体をピットの底部の上に配置したことを示す図。
【発明を実施するための形態】
【００１５】
図１に示すように、廃棄物の最終処分場１０は、地盤１２に設けられた、前記廃棄物を収容するピット１４と、該ピットの底部１６の上に配置された排水用の管１８と、ピット１４の底部１６の上に配置され、管１８を覆う被覆材２０とを備える。ピット１４は、底盤２２と、該底盤を取り巻く周壁２４とを有するコンクリート構造物２６により形成されている。
【００１６】
最終処分場１０を施工するとき、まず、地盤１２にピット１４を設け、次に、図２に示すように、ピット１４の底部１６の上に管１８を配置し、その後、管１８を被覆材２０で覆う。管１８は、水平方向に伸びており、図３に示すように、周壁２８と、該周壁に間隔を置いて設けられた複数の貫通穴３０とを有する。管１８はいわゆる有孔管である。管１８の一端部はピット１４の中にあり、管１８はピット１４から該ピットの外へ伸びており、管１８の他端部は水処理装置（図示せず）に接続されている。管１８は、ヒューム管、合成樹脂管、鋼管等である。
【００１７】
管１８を被覆材２０で覆うとき、図４に示すように、水平方向に間隔を置かれた２つの領域３２を有する周壁部３４と、該周壁部の各領域３２に形成され、下方に開放された切欠き部３６とを有する枠体３８を用意する。枠体３８は、図４に示した例では、長方形の平面形状を有する。枠体３８は、水平方向に間隔を置かれた、相対する２つの端部４０と、該端部の間に間隔を置かれた、相対する２つの側部４２とを有し、切欠き部３６は各端部４０に形成されている。２つの端部４０及び２つの側部４２は周壁部３４を構成する。
【００１８】
枠体３８の各側部４２の上縁部分に複数の吊上げ用の金具４４が間隔を置いて固定されている。図５に示すように、枠体３８の側部４２は、水平方向に対して垂直な断面で見て枠体３８の断面形状がハ字状をなすように水平面に対して傾斜している。枠体３８は鋼製である。枠体３８は、長方形の平面形状を有する図４に示した例に代え、正方形の平面形状を有するものでもよい。
【００１９】
枠体３８を用意した後、図６、７に示すように、枠体３８を、切欠き部３６が管１８を受け入れるようにピット１４の底部１６の上に配置する。その後、図８に示すように、枠体３８の中を被覆材２０で満たす。このとき、パワーショベルのような重機４６を用いて被覆材２０を枠体３８の上方から該枠体の中へ入れる。被覆材２０は、割栗石、砕石等からなる。前記割栗石又は前記砕石は、例えば、５０ｍｍないし１５０ｍｍの直径を有する。
【００２０】
枠体３８の中を被覆材２０で満たした後、図９、１０に示すように、枠体３８をピット１４の底部１６の上から被覆材２０の上方まで上昇させる。枠体３８の上昇はクレーン（図示せず）を用いて行う。枠体３８を上昇させる前にワイヤーロープ４８の一端部を前記クレーンに取り付け、ワイヤーロープ４８の他端部を枠体３８の吊上げ用の金具４４に取り付ける。このようにして管１８を被覆材２０で覆い、最終処分場１０の施工を終了する。
【００２１】
最終処分場１０の施工後、図１１に示すように、燃焼灰、不燃物等の廃棄物５０を処分するため、該廃棄物をピット１４に入れる。ところで、廃棄物５０が風により飛散するのを防止するために該廃棄物に散水すること又は降雨により、廃棄物５０は水を含んでいることがある。前記水は、廃棄物５０から被覆材２０と管１８の各貫通穴３０とを経て管１８の中へ入り、該管の中を経てピット１４から排出され、前記水処理装置へ送られる。前記水処理装置は前記水を浄化する。
【００２２】
被覆材２０は、廃棄物５０に含まれているゴミの粒子（図示せず）が前記水とともに廃棄物５０から管１８の貫通穴３０に入ることを阻止する。これにより、前記粒子が貫通穴３０の目詰まりを生じさせることを防ぐ。
【００２３】
図示の例によれば、管１８を被覆材２０で覆うとき、枠体３８を、切欠き部３６が管１８を受け入れるようにピット１４の底部１６の上に配置した後、枠体３８の中を被覆材２０で満たすため、枠体３８により被覆材２０の形状が整えられる。このため、人手や重機によることなく被覆材２０を整形することができ、被覆材２０の整形に要する手間と時間とを減らすことができ、被覆材２０の整形を効率的に行うことができる。
【００２４】
枠体３８を、切欠き部３６が管１８を受け入れるようにピット１４の底部１６の上に配置するとき、図７に示した例では、１つの枠体３８をピット１４の底部１６の上に配置するが、これに代え、図１２に示すように、複数の枠体３８をピット１４の底部１６の上に隣接して配置してもよい。このとき、各枠体３８の切欠き部３６が管１８を受け入れるようにする。
【００２５】
枠体３８は、鋼製である上記の例に代え、コンクリート製、合成樹脂製、木製等でもよい。図１に示した例では、ピット１４の上に屋根が設けられていないが、これに代え、ピット１４の上に屋根（図示せず）が設けられていてもよい。ピット１４は、屋内にあってもよいし、屋外にあってもよい。ピット１４は、コンクリート構造物２６により形成されている図１に示した例に代え、土構造物であってもよい。この場合、例えば、ピット１４は、地盤１２の表面から下方へ隔てられた底面（図示せず）と、該底面を取り巻く法面（図示せず）とにより形成されている。
【符号の説明】
【００２６】
１４    ピット
１６    底部
１８    管
２０    被覆材
３２    領域
３４    周壁部
３６    切欠き部
３８    枠体
４０    端部
４２    側部
５０    廃棄物
【図１】
0005715860.tif 000002
【図２】
0005715860.tif 000003
【図３】
0005715860.tif 000004
【図４】
0005715860.tif 000005
【図５】
0005715860.tif 000006
【図６】
0005715860.tif 000007
【図７】
0005715860.tif 000008
【図８】
0005715860.tif 000009
【図９】
0005715860.tif 000010
【図１０】
0005715860.tif 000011
【図１１】
0005715860.tif 000012
【図１２】
0005715860.tif 000013